(57)【要約】【課題】  さまざまな液状物を他の容器に移しかえる際、一枚のシートを円錐状に形成固定し、任意の容器に対応するよう注ぎ穴の大きさを調節出来るシート式ロートを提供する。【解決手段】可撓性と防水性と耐熱性を有するシートの数カ所に、互いにかみ合わせて固定することで、シートの形状をほぼ円錐の筒状に固定できるよう切り込み部を設け、各切り込み部をかみ合わせる組み合わせによって円錐状のすぼんだ方の筒穴の大きさを調節でき、前記シートは任意の容器に対してロートとして使用できることを特徴とするシート式ロートである。【選択図】  図１
2006312483.tif 000002
【特許請求の範囲】
【請求項１】
可撓性と防水性と耐熱性を有するシートの数カ所に、互いにかみ合わせて固定することで、シートの形状をほぼ円錐の筒状に固定できるよう切り込み部を設け、各切り込み部をかみ合わせる組み合わせによって円錐状のすぼんだ方の筒穴の大きさを調節でき、前記シートは任意の容器に対してロートとして使用できることを特徴とするシート式ロート。
【発明の詳細な説明】
【技術分野】
【０００１】  本発明は、さまざまな液状物を他の容器に移しかえる際、一枚のシートを円錐状に形成固定し、任意の容器に対応するよう注ぎ穴の大きさを調節出来るシート式ロートに関するものである。
【背景技術】
【０００２】  従来のロートは硬質な素材でできており、その注ぎ口の大きさは調節出来ない為、移しかえたい液状物のタイプや移しかえに使用する容器の口の大きさによって各サイズに合ったロートを揃えなくてはならなかった。特にカレーやシチューのように固形の具材を含む液状物は、従来のロートの細長い注ぎ穴では具材が詰まって使用できず、広口のロートを準備していた。
また、油分を含む液状物の移しかえに使用した後は、細長い注ぎ穴に洗浄部材（タワシやスポンジ）が入らないため、筒洗い用の洗浄部材を用いなければ完全に油分を洗浄することができなかった。
【発明の開示】
【発明が解決しようとする課題】
【０００３】  そのために次のような問題点があった。
（イ）従来のロートは、移しかえたい液状物や使用する容器の口の大きさに合わせて各サイズに合うロートを個別に準備していた。
（ロ）油分を含む液状物の移しかえに使用した際、注ぎ穴が細い筒状であるため洗浄するのに手間がかかっていた。
（ハ）従来のロートは、特有のかさばる立体形状のため、目的ごとにサイズを揃えると収納の際場所をとっていた。
本発明は、以上の問題点を解決するためになされたものである。
【課題を解決するための手段】
【０００４】  可撓性と防水性と耐熱性を有するシートの数カ所に、互いにかみ合わせて固定することで、シートの形状をほぼ円錐の筒状に固定できるよう切り込み部を設け、各切り込み部をかみ合わせる組み合わせによって円錐状のすぼんだ方の筒穴の大きさを調節でき、前記シートは任意の容器に対してロートとして使用できることを特徴とするシート式ロートである。
【発明の効果】
【０００５】  一枚のシートを円錐状に固定するだけで、ロートとしての機能を果たし、かつ、注ぎ穴の大きさの調節が可能なので一枚のシートのみでいくつかのサイズのロートとして利用でき、あらゆる液状物や細かい粒状物（例えば胡麻やビーズなど）を任意の容器に流し入れる事ができる。また、円錐状から平面状のシートに戻すことが可能なので油分による汚れを容易に洗浄できて衛生的である。シート以外の部材（固定用留め具など）を用いていないので平面状のシートに戻せばかさばることなく収納に場所を取らない。
【発明を実施するための最良の形態】
【０００６】  以下、本発明の実施の形態を説明する。
【実施例１】
【０００７】（イ）可撓性と防水性と耐熱性を有するシートを円錐状に形成可能な形（本発明の実施の形態では半円に近い形状）に切断する。前記シート（１）の左右の端部の一方に、シートの可撓性を利用して手指で少し捲れる形状（本発明の実施の形態では半円状）の留め切り込み部（２）を設ける。前記留め切り込み部（２）の位置と相対する三ヵ所に留め切り込み部（２）と同様の形状の調節切り込み部（３）を設ける。調節切り込み部（３）はシート（１）を円錐状に固定した際、形成される注ぎ穴（６）を大きい穴から小さい穴へと調節できるよう位置をずらし、それぞれ（３ａ）（３ｂ）（３ｃ）の位置に設ける。
（ロ）留め切り込み部（２）と調節切り込み部（３）の位置関係は両者を組み合わせて差し込んだ際、必ずシート（１）が円錐状に形成固定できる位置に設ける。
（ハ）ロート使用時に支障のない位置に引掛け穴（４）を設ける。
本発明は以上のような構成よりなっている。
これを使用する時は、シート（１）を筒状に丸めて、図２に示したようにシート（１）の注ぎ穴（６）が他方の穴よりも小さくなるよう巻き込み具合を調節したのち、留め切り込み部（２）と調節切り込み部（３）のいずれか一つをかみ合わせて円錐状に固定する。
図２において、留め切り込み部（２）と調節切り込み部（３ａ）（３ｂ）（３ｃ）をそれぞれ順にかみ合わせた際のシート（１）と注ぎ穴（６）の状態を、（イ）（ロ）（ハ）によって示している。
また図３が示しているのは、留め切り込み部（２）と調節切り込み部（３）のかみ合わせ方である。
次に図４で示しているように、シート（１）の注ぎ穴（６）を下方向に持って容器口（５）に差し込む。さらに、移しかえたい液状物（７）をシート（１）の上部から流し込む。
その後、液状物（７）を容器に移し終わったら、シート（１）を容器口（５）から抜き取り、留め切り込み部（２）と調節切り込み部（３）のかみ合わせを外してシート（１）を平面状に戻す。油分を含む液状物であっても平面状になるので、スポンジなどを用いて容易に洗浄することができる。洗浄後は、引掛け穴（４）をフックなどに引っかけて乾燥したり保管できる。また、シート（１）は平面状なので狭い隙間や他の物を重ねての収納も可能である。
【実施例２】
【０００８】  本発明の実施の形態では、シート（１）は半円に近い形状で説明しているが、例えば図５に示したような他の形状であっても、該シートの外周部に山型に切断した調節部（９）を設け、前記調節部（９）に引っかけて固定できる形状の留め部（１０）を設けることで、図６のように円錐状に形成固定することができ、同様の機能を果たすシート式ロートになる。
【実施例３】
【０００９】  また、シート（１）はロートとして使用する際、他の部材（固定用留め具など）を用いないので、図７に示すように平面状の時には簡易まな板としても利用できる。
【図面の簡単な説明】
【００１０】
【図１】本発明の実施例１の平面図
【図２】（イ）、（ロ）、（ハ）は本発明のシート固定状態を示す斜視図
【図３】本発明の留め切り込む部（２）と調節切り込み部（３）のかみ合わせ方を示す斜視図
【図４】本発明の使用状態を示す斜視図
【図５】本発明の実施例２の平面図
【図６】本発明の実施例２のシート固定状態を示す斜視図
【図７】本発明の実施例３の使用状態を示す斜視図
【符号の説明】
【００１１】１    シート
２    留め切り込み部
３    調節切り込み部
４    引掛け穴
５    容器口
６    注ぎ穴
７    液状物
８    シート（１）の形状と異なる実施例２のシート
９    調節部
１０  留め部
１１  実施例３の平面状のシート（１）
１２  包丁
【図１】
2006312483.tif 000003
【図２】
2006312483.tif 000004
【図３】
2006312483.tif 000005
【図４】
2006312483.tif 000006
【図５】
2006312483.tif 000007
【図６】
2006312483.tif 000008
【手続補正書】
【提出日】平成17年7月4日(2005.7.4)
【手続補正１】
【補正対象書類名】図面
【補正対象項目名】図７
【補正方法】追加
【補正の内容】
【図７】
2006312483.tif 000009